(57)【要約】【課題】様々な支柱を電柱に固定することができる支柱固定器具を実現する。【解決手段】支柱固定器具１００の支柱支持体１０は、支柱当接部１１に内接させている支柱Ｐを一対の押圧部材１２によって支柱当接部１１の２つの面に向けてそれぞれ略垂直に押し付けて、支柱当接部１１と押圧部材１２との間にその支柱Ｐを挟み込んで固定することができるので、支柱Ｐの径に応じて押圧部材１２の押し付け量（例えば、蝶ネジボルトの締め込み量）を調節するようにして、様々な径の支柱Ｐを支柱支持体１０に固定することができる。具体的には、支柱Ｐの径が細い場合でも太い場合でも、支柱当接部１１に内接させている支柱Ｐに押圧部材１２を押し当てるようにして、支柱当接部１１と押圧部材１２との間に支柱Ｐを挟み込んで固定することができる。このような支柱固定器具１００であれば、支柱支持体１０に固定した様々な支柱Ｐを電柱Ｄに固定することができる。【選択図】図１
2020178392.tif 000002
【特許請求の範囲】
【請求項１】
所定の支柱を電柱の長手方向に沿わせて固定するための支柱固定器具であって、
略直交した２つの面を有し、その２つの面に前記支柱の側面を内接させる支柱当接部と、前記２つの面に向けてそれぞれ前記支柱を略垂直に押し付けて、前記支柱当接部との間に前記支柱を挟み込む一対の押圧部材と、を有している支柱支持体と、
前記支柱支持体に左右一対設けられており、前記電柱の側面に当接される電柱当接体と、
前記左右一対の電柱当接体を前記電柱の側面に押し付けるようにして、前記一対の電柱当接体および前記支柱支持体を前記電柱に固定する固定手段と、
を備えたことを特徴とする支柱固定器具。
【請求項２】
前記左右一対の電柱当接体にはそれぞれ、前記電柱の側面に線接触する当接板部が設けられていることを特徴とする請求項１に記載の支柱固定器具。
【請求項３】
前記固定手段は、一端部が一方の前記電柱当接体に繋がれ、他端部が他方の前記電柱当接体に繋がれているバンド部材であり、
前記左右一対の電柱当接体との間に前記電柱を挟むように、前記バンド部材が前記電柱に緊締されていることを特徴とする請求項１又は２に記載の支柱固定器具。
【請求項４】
前記電柱当接体には、前記バンド部材のそれぞれの端部に設けられている環状部を繋ぎ留めるために、その環状部に挿し入れられる突片部が設けられていることを特徴とする請求項３に記載の支柱固定器具。
【請求項５】
前記突片部は、前記電柱当接体から上又は下向きに延出している突片本体と、前記突片本体の先端側に設けられ、その突片本体の延出方向逆向きに折り返されてなる返し片と、を有していることを特徴とする請求項４に記載の支柱固定器具。
【発明の詳細な説明】
【技術分野】
【０００１】
本発明は、照明器具などを仮設するのに用いる支柱を電柱に固定するための支柱固定器具に関する。
【背景技術】
【０００２】
従来、所定の管体を電柱に縦添えして固定するのに使用する支持金具が知られている（例えば、特許文献１参照。）。
【先行技術文献】
【特許文献】
【０００３】
【特許文献１】特開２００８−２２８５４９号公報
【発明の概要】
【発明が解決しようとする課題】
【０００４】
しかしながら、上記特許文献１の支持金具の場合、所定の径よりも大きな管体や小さな管体は確実に固定できないという問題があった。
また、上記支持金具はケーブル防護用の引き上げ管を電柱に固定するための金具であるので、重量のあるもの（例えば照明器具など）が取り付けられている支柱（管体）を支持するのに十分な強度を有していなかった。
【０００５】
本発明の目的は、様々な支柱を電柱に固定することができる支柱固定器具を提供することである。
【課題を解決するための手段】
【０００６】
上記目的を達成するため、この発明は、
所定の支柱を電柱の長手方向に沿わせて固定するための支柱固定器具であって、
略直交した２つの面を有し、その２つの面に前記支柱の側面を内接させる支柱当接部と、前記２つの面に向けてそれぞれ前記支柱を略垂直に押し付けて、前記支柱当接部との間に前記支柱を挟み込む一対の押圧部材と、を有している支柱支持体と、
前記支柱支持体に左右一対設けられており、前記電柱の側面に当接される電柱当接体と、
前記左右一対の電柱当接体を前記電柱の側面に押し付けるようにして、前記一対の電柱当接体および前記支柱支持体を前記電柱に固定する固定手段と、
を備えるようにした。
【０００７】
かかる構成の支柱固定器具は、固定手段によって左右一対の電柱当接体を電柱の側面に押し付けるようにして、一対の電柱当接体および支柱支持体を電柱に固定することができる。
そして、この支柱固定器具の支柱支持体は、支柱当接部に内接させている支柱を一対の押圧部材によって支柱当接部の２つの面に向けてそれぞれ略垂直に押し付けて、支柱当接部と押圧部材との間にその支柱を挟み込んで固定することができるので、支柱の径に応じて押圧部材の押し付け量（例えば、蝶ネジボルトの締め込み量）を調節するようにして、様々な径の支柱を支柱支持体に固定することができる。
具体的には、支柱の径が細い場合でも太い場合でも、支柱当接部に内接させている支柱に押圧部材を押し当てるように、押圧部材の押し付け量を調節して、支柱当接部と押圧部材との間に支柱を挟み込んで固定することができる。
つまり、この支柱固定器具であれば、様々な径の支柱を支柱支持体に固定することができるので、様々な支柱を電柱に固定することができる。
【０００８】
また、望ましくは、
前記左右一対の電柱当接体にはそれぞれ、前記電柱の側面に線接触する当接板部が設けられているようにする。
【０００９】
この支柱固定器具は、左右一対の電柱当接体の当接板部を電柱の側面に線接触させる構造を有しているので、電柱の径が異なる場合でも当接板部のいずれかの箇所を電柱の側面に線接触させて、左右一対の当接板部と固定手段（バンド部材）とによる三方からの３点支持構造をとるようにして好適に電柱に固定することができる。
【００１０】
また、望ましくは、
前記固定手段は、一端部が一方の前記電柱当接体に繋がれ、他端部が他方の前記電柱当接体に繋がれているバンド部材であり、
前記左右一対の電柱当接体との間に前記電柱を挟むように、前記バンド部材が前記電柱に緊締されているようにする。
【００１１】
固定手段が電柱に緊締されるバンド部材であれば、支柱固定器具を電柱に取り付け易く、その支柱固定器具を電柱に安定した姿勢で取り付けることができる。
【００１２】
また、望ましくは、
前記電柱当接体には、前記バンド部材のそれぞれの端部に設けられている環状部を繋ぎ留めるために、その環状部に挿し入れられる突片部が設けられているようにする。
【００１３】
一対の電柱当接体に、バンド部材のそれぞれの端部に設けられている環状部を繋ぎ留めるための突片部が設けられていれば、電柱当接体とバンド部材とを繋ぎ易いので、支柱固定器具を電柱に取り付ける作業を行い易くなる。
【００１４】
また、望ましくは、
前記突片部は、前記電柱当接体から上又は下向きに延出している突片本体と、前記突片本体の先端側に設けられ、その突片本体の延出方向逆向きに折り返されてなる返し片と、を有しているようにする。
【００１５】
バンド部材の環状部を繋ぎ留めるための突片部に、突片本体の延出方向逆向きに折り返されてなる返し片が設けられていれば、支柱固定器具を電柱に取り付ける作業の過程で、突片部から環状部が抜け落ちてバンド部材が外れてしまうことがないので、その取り付け作業をスムーズに行うことができる。
【発明の効果】
【００１６】
本発明によれば、様々な支柱を電柱に固定することができる。
【図面の簡単な説明】
【００１７】
【図１】本実施形態の支柱固定器具を電柱に固定した状態を示す斜視図である。
【図２】支柱固定器具を電柱に固定した状態を示す上面図である。
【図３】支柱固定器具を示す正面図である。
【図４】支柱固定器具の要部（金物部分）を示す側面図である。
【図５】支柱固定器具にて所定の支柱（丸棒）を電柱に沿わせて固定した状態を示す上面図である。
【図６】支柱固定器具にて所定の支柱（角棒）を電柱に沿わせて固定した状態を示す上面図である。
【図７】支柱固定器具を電柱に固定した状態を示す上面図である。
【図８】支柱固定器具の変形例（金物部分）を示す側面図である。
【図９】支柱固定器具の変形例（金物部分）を示す側面図である。
【図１０】支柱固定器具の変形例を示す上面図である。
【発明を実施するための形態】
【００１８】
以下、図面を参照して、本発明に係る支柱固定器具の実施形態について詳細に説明する。但し、以下に述べる実施形態には、本発明を実施するために技術的に好ましい種々の限定が付されているが、本発明の範囲を以下の実施形態及び図示例に限定するものではない。
本実施形態の支柱固定器具は、所定の支柱を電柱の長手方向に沿わせて固定するための器具であり、仮設する照明器具や標識などが取り付けられている支柱を電柱に固定するために用いる器具である。
【００１９】
支柱固定器具１００は、例えば、図１〜図４に示すように、所定の支柱Ｐを支持する支柱支持体１０と、支柱支持体１０に左右一対設けられており、電柱Ｄの側面に当接される電柱当接体２０と、左右一対の電柱当接体２０を電柱Ｄの側面に押し付けるようにして、一対の電柱当接体２０および支柱支持体１０を電柱Ｄに固定する固定手段であるバンド部材３０等を備えている。
【００２０】
支柱支持体１０は、略直交した２つの面を有し、その２つの面に支柱Ｐの側面を内接させる支柱当接部１１と、支柱当接部１１の２つの面に向けてそれぞれ支柱Ｐを略垂直に押し付けて、支柱当接部１１との間に支柱Ｐを挟み込む一対の押圧部材１２等を有している。
【００２１】
支柱当接部１１は、例えば、鋼板を折曲加工し、上面視略Ｌ字形状を呈するように形成された構成部分であり、挟角が略９０°を成している２つの面（略直交した２つの面）を有している。
この支柱当接部１１の両側に電柱当接体２０が設けられている。
本実施形態では、例えば、図３に示すように、上下に分割された態様で対を成している支柱当接部１１の両側に、溶接などによって電柱当接体２０が固設されている。
【００２２】
押圧部材１２は、例えば、蝶ネジボルトなどのボルト部材であり、ボルト螺着部１２ａに螺着されている。
ボルト螺着部１２ａは、例えば、鋼板を折曲加工し、上面視略Ｌ字形状を呈するように形成された構成部分であり、その両側が溶接などによって電柱当接体２０に固設されている。
このボルト螺着部１２ａは、ボルト螺着部１２ａにおいて挟角が略９０°を成している２つの面がそれぞれ、支柱当接部１１の２つの面と略平行となる配置に設けられており、例えば、図２に示すように、支柱支持体１０におけるボルト螺着部１２ａと支柱当接部１１を上面視した際に矩形環が視認されるようになっている。支柱支持体１０が支持する支柱Ｐは、その矩形環を貫くようにボルト螺着部１２ａと支柱当接部１１の間を通されて配される。
そして、一方の押圧部材１２（蝶ネジボルト）は、支柱当接部１１の一方の面（上記２つの面の一方）に対して略垂直な向きで進退可能に螺着されており、他方の押圧部材１２（蝶ネジボルト）は、支柱当接部１１の他方の面（上記２つの面の他方）に対して略垂直な向きで進退可能に螺着されている。
なお、ボルト螺着部１２ａは、支柱固定器具１００を正面視した際、上下に対を成している支柱当接部１１の間に相当する配置に設けられている。
【００２３】
電柱当接体２０は、例えば、鋼板を折曲加工し、上面視略ワ字形状（上面視略７字形状）を呈するように形成された構成部分である。
この左右一対の電柱当接体２０の端部側にはそれぞれ、電柱Ｄの側面に線接触する当接板部２１が設けられている。
一対の当接板部２１は、上面視した際に電柱Ｄ側が末広がりとなる略八字形状を呈するように設けられている。
【００２４】
また、左右一対の電柱当接体２０にはそれぞれ、バンド部材３０を繋ぎ留めるための突片部２２が設けられている。
突片部２２は、バンド部材３０のそれぞれの端部に設けられている環状部３１を繋ぎ留めるために、その環状部３１に挿し入れられる構成部分である。
ここでの突片部２２は、電柱当接体２０において下向きに延出している突片本体２２ａと、突片本体２２ａの先端側に設けられ、その突片本体２２ａの延出方向逆向きに折り返されてなる返し片２２ｂと、を有している。
【００２５】
バンド部材３０は、それぞれの端部に環状部３１が設けられているラチェット式のタイダウンベルトである。なお、ラチェットベルトは従来公知のものと同様であるので、ここでは詳述しない。
このバンド部材３０は、一端部の環状部３１が一方の電柱当接体２０の突片部２２に繋がれ、他端部の環状部３１が他方の電柱当接体２０の突片部２２に繋がれており、バンド部材３０と左右一対の電柱当接体２０との間に電柱Ｄを挟むように、そのバンド部材３０が電柱Ｄに緊締されている。
具体的には、バンド部材３０は、左右一対の電柱当接体２０を電柱Ｄに引き寄せて、その一対の電柱当接体２０の当接板部２１を電柱Ｄの側面に押し付けることで、一対の電柱当接体２０および支柱支持体１０を電柱Ｄに固定する機能を有している。
固定手段としてラチェットベルトであるバンド部材３０を用いることで、一対の電柱当接体２０および支柱支持体１０を電柱Ｄに速やかに且つ容易に取り付けて固定することができる。
【００２６】
このように、本実施形態の支柱固定器具１００は、固定手段であるバンド部材３０によって、一対の電柱当接体２０および支柱支持体１０を電柱Ｄに固定することができる。
特に、バンド部材３０端部の環状部３１を繋ぎ留める突片部２２には、突片本体２２ａの延出方向逆向きに折り返されてなる返し片２２ｂが設けられているため、支柱固定器具１００を電柱Ｄに取り付ける作業の過程で、突片部２２から環状部３１が抜け落ちてバンド部材３０が外れてしまうことがないので、その取り付け作業をスムーズに行うことができる。
【００２７】
また、所定の支柱Ｐを支持する支柱支持体１０は、例えば、図５に示すように、ボルト螺着部１２ａと支柱当接部１１の間に通されて、支柱当接部１１に内接させている丸棒状の支柱Ｐを一対の押圧部材１２によって支柱当接部１１の２つの面に向けてそれぞれ略垂直に押し付けて、支柱当接部１１と押圧部材１２との間にその支柱Ｐを挟み込んで固定することができるので、支柱Ｐの径に応じて押圧部材１２（蝶ネジボルト）の締め込み量を調節するようにして、様々な径の支柱Ｐを支柱支持体１０に固定することができる。
また、この支柱支持体１０であれば、例えば、図６に示すように、角棒状の支柱Ｐであっても、支柱当接部１１と押圧部材１２との間にその支柱Ｐを挟み込んで固定することができる。
つまり、本実施形態の支柱固定器具１００であれば、様々な径（サイズ）や様々な断面形状の支柱Ｐを支柱支持体１０に固定することができるので、様々な支柱Ｐを電柱Ｄに固定することができる。
【００２８】
また、この支柱固定器具１００は、バンド部材３０が左右一対の電柱当接体２０を電柱Ｄに引き寄せて、その一対の電柱当接体２０の当接板部２１を電柱Ｄの側面に押し付けるようにして、電柱Ｄに固定されるようになっているので、例えば、図２や図７に示すように、様々な径の電柱Ｄに支柱固定器具１００を取り付けて固定することができる。
つまり、この支柱固定器具１００は、左右一対の電柱当接体２０の当接板部２１を電柱Ｄの側面に線接触させる構造を有しているので、電柱Ｄの径が異なる場合でも、当接板部２１のいずれかの箇所を電柱Ｄの側面に線接触させて、左右一対の当接板部２１とバンド部材３０とによる三方からの３点支持構造をとるようにして、電柱Ｄに支柱固定器具１００を固定することができる。
これに対し、当接板部２１が電柱Ｄの側面に面接触する構造である場合、その当接板部２１の曲率に対応する径の電柱Ｄであれば、支柱固定器具１００を好適に固定することができるが、任意の径の電柱Ｄには支柱固定器具１００を固定し難くなってしまう。
このように、左右一対の電柱当接体２０の当接板部２１を電柱Ｄの側面に線接触させる構造をとることで、任意の径の電柱Ｄに支柱固定器具１００を固定することができる。
【００２９】
そして、この支柱固定器具１００は、バンド部材３０によって一対の電柱当接体２０および支柱支持体１０を電柱Ｄに緊締することができるとともに、その支柱支持体１０に支柱Ｐを強固に固定することができるので、例えば、重量のある白熱投光器（照明器具）が取り付けられている支柱Ｐや、風を受け易い標識が取り付けられている支柱Ｐであっても、電柱Ｄの長手方向に沿わせて良好に固定することができる。
【００３０】
なお、本発明は上記実施形態に限られるものではない。
例えば、図８に示すように、電柱当接体２０の突片部２２は、電柱当接体２０において上向きに延出している突片本体２２ａと、突片本体２２ａの先端側に設けられ、その突片本体２２ａの延出方向逆向きに折り返されてなる返し片２２ｂと、を有しているものであってもよい。
また、例えば、図９に示すように、電柱当接体２０の突片部２２は電柱当接体２０において横向きに延出したものであってもよい。
このような突片部２２であっても、支柱固定器具１００を電柱Ｄに取り付ける作業の過程で、突片部２２から環状部３１が抜け落ちてバンド部材３０が外れてしまうことがないので、支柱固定器具１００を電柱Ｄに取り付ける作業をスムーズに行うことができる。
【００３１】
また、例えば、図１０に示すように、当接板部２１が電柱Ｄと接触する面側に、ゴムパッド２３を貼付するなどして配設するようにしてもよい。
当接板部２１にゴムパッド２３が配設されていれば、そのゴムパッド２３を電柱Ｄの側面に押し当てるようにして、より好適に電柱Ｄに支柱固定器具１００を固定することができる。
このゴムパッド２３は、硬質ゴムなどからなる平板部材である。
【００３２】
なお、以上の実施の形態においては、固定手段としてのバンド部材３０にラチェットベルトを用いた場合を例に説明したが、本発明はこれに限定されるものではなく、固定手段はラチェット式ではない緊締ベルトや緊締バンドであってよく、また、その他の緊締器具などであってもよい。
【００３３】
また、その他、具体的な細部構造等についても適宜に変更可能であることは勿論である。
【符号の説明】
【００３４】
１０    支柱支持体
１１    支柱当接部
１２    押圧部材
１２ａ  ボルト螺着部
２０    電柱当接体
２１    当接板部
２２    突片部
２２ａ  突片本体
２２ｂ  返し片
２３    ゴムパッド
３０    バンド部材（固定手段）
３１    環状部
１００  支柱固定器具
Ｐ      支柱
Ｄ      電柱
【図１】
2020178392.tif 000003
【図２】
2020178392.tif 000004
【図３】
2020178392.tif 000005
【図４】
2020178392.tif 000006
【図５】
2020178392.tif 000007
【図６】
2020178392.tif 000008
【図７】
2020178392.tif 000009
【図８】
2020178392.tif 000010
【図９】
2020178392.tif 000011
【図１０】
2020178392.tif 000012